(57)【特許請求の範囲】
【請求項１】
局部発振信号を出力する局部発振器と、入力されたテレビジョンの中間周波信号を前記局部発振信号と混合すると共に、テレビジョンチャンネルのうちの送信すべき特定チャンネルのテレビジョン信号に周波数変換する混合器と、前記混合器の後段に接続され、前記特定チャンネルの周波数に同調する可変同調バンドパスフィルタとを備え、
前記可変同調バンドパスフィルタの同調周波数を前記特定チャンネルの周波数の帯域外に移動可能とし、
前記可変同調バンドパスフィルタを第一の周波数以上第二の周波数以下の範囲で同調させ、前記特定チャンネルを前記第一の周波数以上前記第二の周波数以下の間に設定すると共に、前記特定チャンネルの周波数が前記第一の周波数と前記第二の周波数との中間の周波数よりも高い場合には前記帯域外の周波数を前記第一の周波数以下とし、前記特定チャンネルの周波数が前記中間の周波数よりも低い場合には前記帯域外の周波数を前記第二の周波数以上としたことを特徴とするテレビジョン信号送信機。
【請求項２】
前記局部発振器には前記局部発振信号の周波数を変えるための第一のバラクタダイオードを設けると共に、前記可変同調バンドパスフィルタには前記同調周波数を変えるための第二のバラクタダイオードを設け、前記局部発振信号の周波数と前記同調周波数とを設定するためのデータを格納したメモリと、前記データを直流電圧に変換するＤ／Ａ変換器と、第一の外部電源と、前記直流電圧が入力される電圧加算手段と、第一のスイッチ手段とを有し、前記直流電圧を前記第一のバラクタダイオードに印加すると共に、前記電圧加算手段から出力される電圧を前記第二のバラクタダイオードに印加し、前記第一のスイッチ手段によって前記第一の外部電源の電圧を前記電圧加算手段に入力可能としたことを特徴とする請求項１に記載のテレビジョン信号送信機。
【請求項３】
前記局部発振器には前記局部発振信号の周波数を変えるための第一のバラクタダイオードを設けると共に、前記可変同調バンドパスフィルタには前記同調周波数を変えるための第二のバラクタダイオードを設け、前記局部発振信号の周波数と前記同調周波数とを設定するためのデータを格納したメモリと、前記データを直流電圧に変換するＤ／Ａ変換器と、第二の外部電源と、第三の外部電源と、第二のスイッチ手段とを有し、前記直流電圧を前記第一のバラクタダイオードに印加し、前記第二のスイッチ手段によって前記直流電圧又は前記第二の外部電源の電圧又は前記第三の外部電源の電圧を前記第二のバラクタダイオードに印加可能としたことを特徴とする請求項１に記載のテレビジョン信号送信機。
【発明の詳細な説明】
【０００１】
【発明の属する技術分野】
本発明は、ＣＡＴＶシステム等に使用されるテレビジョン信号送信機に関する。
【０００２】
【従来の技術】
テレビジョン信号送信機は、テレビジョンの中間周波信号を、送信すべきチャンネルの周波数に周波数変換する機能を有しており、その従来構成は図４に示されるように、中間周波増幅器（ＩＦ増幅器）５１、混合器５２、局部発振器５３、高周波バンドパスフィルタ（ＲＦバンドパスフィルタ）５４、高周波増幅器（ＲＦ増幅器）５５、高周波リレー５６等を有する。
【０００３】
中間周波増幅器５１には図示しない変調器から出力されたテレビジョンの中間周波信号（ＩＦ信号）が入力される。その映像中間周波数、音声中間周波数は、例えば、米国仕様ではそれぞれ４５．７５ＭＨｚ、４１．２５ＭＨｚとなっている。中間周波増幅５１によって増幅された中間周波信号は混合器５２に入力される。
【０００４】
混合器５２には局部発振器５３から出力された局部発振信号が入力される。局部発振器５３は内部にバラクタダイオードを有する電圧制御発振器で構成され、その発振周波数はバラクタダイオードに印加される制御電圧によって変えられる。そして、ＩＦ信号は局部発振信号と周波数混合されて、送信すべきチャンネルのテレビジョン信号（ＲＦ信号）に周波数変換される。ＲＦ信号の周波数は５５ＭＨｚ乃至８６０ＭＨｚの間のいずれかであり、その周波数に対応して局部発振信号の周波数が設定される。従って、局部発振周波数はＲＦ信号よりもＩＦ信号の周波数だけ高くなっている。
【０００５】
ＲＦ信号はＲＦバンドパスフィルタ５４を通過してＲＦ増幅器５５に入力される。ＲＦバンドパスフィルタ５４は三個のバンドパスフィルタ５４ａ乃至５４ｃからなり、それぞれがバラクタダイオードを有する復同調回路で構成される。そして、ＲＦ信号の周波数帯域に同調するように制御される。ＲＦバンドパスフィルタ５４を通過したＲＦ信号はＲＦ増幅器５５によって増幅され、次いで、ＲＦリレーを介して出力され、次段の分配器、混合器等に（図示せず）に入力される。
【０００６】
局部発振器５３の局部発振周波数とバンドパスフィルタ５４の同調周波数を設定するためのデータはメモリ（ＲＯＭ）５７に格納されており、ＭＰＵ５８によって読み出されたデータはＤ／Ａ変換器５９によってアナログの電圧に変換され、局部発振器５３内のバラクタダイオードとバンドパスフィルタ５４内のバラクタダイオードに印加される。
【０００７】
以上の構成において、例えば、ＲＦ信号の周波数を変更する場合や、ＩＦ信号の変調度を変更する場合には、その変更時に発生する不要な信号が出力されて他の機器に妨害を及ぼすおそれがあることから、それを防止する必要がある。そのため、上記のような変更時にはＲＦリレー５６を動作することでそのスイッチをオフとし、ＲＦ信号の出力をカットするようにしている。
【０００８】
【発明が解決しようとする課題】
しかし、ＲＦリレー５６のスイッチをオフにすると、その前後で回路が切り離されることからＲＦ増幅器５５の出力端との間でインピーダンスの整合が得られなくなり、反射による増幅器の動作不安定、インピーダンス不整合による増幅器の出力端におけるロスの発生などの問題が生じることになる。
【０００９】
そこで、本発明のテレビジョン信号送信機は、ＲＦ信号の周波数を変更したり、ＩＦ信号の変調度を変更する等の各種設定条件の変更時において発生する不要な信号を、回路間のインピーダンス整合を崩すことなく外部に出力しないようにすることを目的とする。
【００１０】
【課題を解決するための手段】
本発明は、上記の課題を解決するため、局部発振信号を出力する局部発振器と、入力されたテレビジョンの中間周波信号を前記局部発振信号と混合すると共に、テレビジョンチャンネルのうちの送信すべき特定チャンネルのテレビジョン信号に周波数変換する混合器と、前記混合器の後段に接続され、前記特定チャンネルの周波数に同調する可変同調バンドパスフィルタとを備え、前記可変同調バンドパスフィルタの同調周波数を前記特定チャンネルの周波数の帯域外に移動可能とし、前記可変同調バンドパスフィルタを第一の周波数以上第二の周波数以下の範囲で同調させ、前記特定チャンネルを前記第一の周波数以上前記第二の周波数以下の間に設定すると共に、前記特定チャンネルの周波数が前記第一の周波数と前記第二の周波数との中間の周波数よりも高い場合には前記帯域外の周波数を前記第一の周波数以下とし、前記特定チャンネルの周波数が前記中間の周波数よりも低い場合には前記帯域外の周波数を前記第二の周波数以上とした。
【００１３】
また、前記局部発振器には前記局部発振信号の周波数を変えるための第一のバラクタダイオードを設けると共に、前記可変同調バンドパスフィルタには前記同調周波数を変えるための第二のバラクタダイオードを設け、前記局部発振信号の周波数と前記同調周波数とを設定するためのデータを格納したメモリと、前記データを直流電圧に変換するＤ／Ａ変換器と、第一の外部電源と、前記直流電圧が入力される電圧加算手段と、第一のスイッチ手段とを有し、前記直流電圧を前記第一のバラクタダイオードに印加すると共に、前記電圧加算手段から出力される電圧を前記第二のバラクタダイオードに印加し、前記第一のスイッチ手段によって前記第一の外部電源の電圧を前記電圧加算手段に入力可能とした。
【００１４】
また、前記局部発振器には前記局部発振信号の周波数を変えるための第一のバラクタダイオードを設けると共に、前記可変同調バンドパスフィルタには前記同調周波数を変えるための第二のバラクタダイオードを設け、前記局部発振信号の周波数と前記同調周波数とを設定するためのデータを格納したメモリと、前記データを直流電圧に変換するＤ／Ａ変換器と、第二の外部電源と、第三の外部電源と、第二のスイッチ手段とを有し、前記直流電圧を前記第一のバラクタダイオードに印加し、前記第二のスイッチ手段によって前記直流電圧又は前記第二の外部電源の電圧又は前記第三の外部電源の電圧を前記第二のバラクタダイオードに印加可能とした。
【００１５】
【発明の実施の形態】
図１及び図２に従って本発明のテレビジョン信号送信機の第一の実施の形態を説明する。本発明によるテレビジョン信号送信機は、図１に示すように中間周波増幅器（ＩＦ増幅器）１、混合器２、局部発振器３、高周波バンドパスフィルタ（ＲＦバンドパスフィルタ）４、高周波増幅器（ＲＦ増幅器）５、メモリ（ＲＯＭ）６、制御部（ＭＰＵ）７、Ｄ／Ａ変換器８、加算器９、第一の外部電源１０及び第一のスイッチ手段１１等を有する。
【００１６】
ＩＦ増幅器１には図示しない変調器から出力されたテレビジョンの中間周波信号（ＩＦ信号）が入力される。その映像中間周波数、音声中間周波数は、例えば、米国仕様ではそれぞれ４５．７５ＭＨｚ、４１．２５ＭＨｚである。ＩＦ増幅器１によって増幅されたＩＦ信号は混合器２に入力される。
【００１７】
混合器２には局部発振器３から出力された局部発振信号Ｌｏが入力される。局部発振器３は内部に第一のバラクタダイオード３ａを有する電圧制御発振器で構成され、その発振周波数は第一のバラクタダイオード３ａに印加される制御電圧Ｖｔによって変えられる。そして、ＩＦ信号は局部発振信号と周波数混合されて、送信すべき通常のチャンネルのうちの特定チャンネルのテレビジョン信号（ＲＦ信号）に周波数変換される。
【００１８】
ＲＦ信号の周波数は５０ＭＨｚ帯乃至８６０ＭＨｚ帯の間のいずれかとなるように選ばれ、その周波数に対応して局部発振信号の周波数が設定される。例えば、米国仕様のチャンネル２のテレビジョン信号であれば映像搬送波周波数が５５．２５ＭＨｚ、音声搬送波周波数が５９．７５ＭＨｚとなるので、局部発振周波数は１０１ＭＨｚとなるように設定される。つまり、局部発振周波数は送信すべきチャンネルの周波数に対して常に映像中間周波数（４５．７５ＭＨｚ）だけ高くなるように設定される。
【００１９】
ＲＦ信号は可変同調バンドパスフィルタ４を通過してＲＦ増幅器５に入力される。可変同調バンドパスフィルタ４は三個のバンドパスフィルタ４ー１乃至４ー３からなり、各バンドパスフィルタ４ー１乃至４ー３はそれぞれ第二のバラクタダイオード４−１ａ乃至４−３ａを有する同一構成の復同調回路からなる。そして、第二のバラクタダイオード４−１ａ乃至４−３ａに印加される制御電圧によって、図２に示すように第一の周波数（図２のＦ１）乃至第二の周波数（図２のＦ２）の範囲で同調周波数が変化する。そして、特定チャンネルは第一の周波数から第二の周波数の範囲内に位置するように設定される。また、各バンドパスフィルタ４−１乃至４−３の通過帯域はほぼ６ＭＨｚとなっている。
【００２０】
可変同調バンドパスフィルタ４を通過したＲＦ信号はＲＦ増幅器５によって所望のレベルまで増幅されて、次段の混合器等に入力される。
【００２１】
局部発振器３の局部発振周波数と可変同調バンドパスフィルタ４の同調周波数とを設定するためのデータ（即ち、送信すべきチャンネルを設定するためのデジタルデータ）はメモリ（ＲＯＭ）６に格納されており、ＭＰＵ７によって読み出されたデータはＤ／Ａ変換器８によってアナログの直流電圧に変換される。この直流電圧が制御電圧Ｖｔとなって局部発振器３の第一のバラクタダイオードに印加される。また、制御電圧は電圧加算手段（加算器）９を介して各バンドパスフィルタ４−１乃至４−３の第二のバラクタダイオード４−１ａ乃至４−３ａにも印加される。
【００２２】
加算器９には第一の外部電源１０の電圧が第一のスイッチ手段１１によって入力されるようになっているので、第一のスイッチ手段１１が閉状態であれば、各バンドパスフィルタ４−１乃至４−３の第二のバラクタダイオード４−１ａ乃至４−３ａには制御電圧Ｖｔに第一の外部電源１０の電圧が加算された電圧が印加される。第一の外部電源１０の電圧値は種々変えられるようになっていて、加算された電圧の変化範囲は制御電圧の変化範囲よりも広くなる。つまり、加算された電圧はＤ／Ａ変換器８から出力された制御電圧の最低値（例えば４ボルト）よりも低い電圧（例えば１ボルト）または最高値（例えば１７ボルト）よりも高い電圧（例えば２０ボルト）となる。
【００２３】
以上の構成において、例えば、ＲＦ信号の周波数がＦ１′（第一の周波数Ｆ１と第二の周波数Ｆ２との中間の周波数Ｆｃよりも低い周波数）となるように制御電圧によって設定されている状態では各バンドパスフィルタ４−１乃至４−３の同調周波数は図２Ａに示すようにＦ１′となっている。この状態でＩＦ信号の変調度を変更する場合に第一のスイッチ手段１１を閉じると、各バンドパスフィルタ４−１乃至４−３には制御電圧に第一の外部電源１０の電圧が加算された電圧（２０ボルト）が印加される。すると、各バンドパスフィルタ４−１乃至４−３の同調周波数は高い方に移動して（矢印Ｘ）例えば第二の周波数Ｆ２以上の周波数となるように設定される。
【００２４】
この状態でＩＦ信号の変調度変更に伴う不要な信号がＲＦ信号の周波数Ｆ１′近傍に発生しても、各バンドパスフィルタ４−１乃至４−３の同調周波数が高い方に大きく移動しているので、その選択度特性によって不要な信号は６５ｄＢ以上減衰し、ＲＦ増幅器５からはほとんど出力されなくなる。
【００２５】
また、例えば、ＲＦ信号の周波数がＦ２′（中間の周波数Ｆｃよりも高い周波数）となるように制御電圧によって設定されている状態では各バンドパスフィルタ４−１乃至４−３の同調周波数は図２Ａに示すようにＦ２′となっている。この状態でＩＦ信号の変調度を変更する場合に第一のスイッチ手段１１を閉じると、各バンドパスフィルタ４−１乃至４−３には制御電圧に第一の外部電源１０の電圧が加算された電圧が印加される。この場合の第一の外部電源１０の電圧をマイナス電圧にしておけば、各バンドパスフィルタ４−１乃至４−３には制御電圧よりも低い電圧（１ボルト）が印加されるので、同調周波数は低い方に移動して（矢印Ｙ）例えば第一の周波数Ｆ１以下の周波数となるように設定される。従って、この場合においても変調度の変更に伴なって発生した不要な信号が減衰する。
【００２６】
図３は、この発明のテレビジョン信号送信機の第二の実施の形態を示し、局部発振器３にはＤ／Ａ変換器８から出力される制御電圧が印加されるが、各バンドパスフィルタ４−１乃至４−３には第二のスイッチ手段１２によってＤ／Ａ変換器から出力される制御電圧又は第二の外部電源１３の電圧又は第三の外部電源１４の電圧が印加されるようになっている。ここで、第二の外部電源１３の電圧は各バンドパスフィルタ４−１乃至４−３の同調周波数を第一の周波数Ｆ１以下とする電圧（１ボルト）であり、第三の外部電源１４の電圧は各バンドパスフィルタ４−１乃至４−３の同調周波数を第二の周波数Ｆ２以上とする電圧（２０ボルト）である。
【００２７】
そして、通常は、第二のスイッチ手段１２によってＤ／Ａ変換器８から出力された制御電圧が印加されているが、前述のように、ＩＦ信号の変調度を変更するときなどでは第二のスイッチ手段１２によって第二の外部電源１３又は第三の外部電源１４の電圧を各バンドパスフィルタ４−１乃至４−３に印加する。この場合でも、ＲＦ信号の周波数が中間の周波数Ｆｃ以下であれば外部電源１４から高い電圧（２０ボルト）が印加され、ＲＦ信号の周波数が中間の周波数Ｆｃ以上であれば外部電源１３から低い電圧（１ボルト）が印加される。
【００２８】
従って、可変同調バンドパスフィルタ４の同調周波数は第一の周波数Ｆ１以下の周波数又は第二の周波数以上に移動し、変調度の変更に伴なって発生した不要な信号が減衰する。
【００２９】
【発明の効果】
以上のように、入力されたテレビジョンの中間周波信号をテレビジョンチャンネルのうちの送信すべき特定チャンネルのテレビジョン信号に周波数変換し、特定チャンネルの周波数に同調する可変同調バンドパスフィルタの同調周波数を特定チャンネルの周波数の帯域外に移動可能とし、可変同調バンドパスフィルタを第一の周波数以上第二の周波数以下の範囲で同調させ、特定チャンネルを第一の周波数以上第二の周波数以下の間に設定すると共に、特定チャンネルの周波数が第一の周波数と第二の周波数との中間の周波数よりも高い場合には帯域外の周波数を第一の周波数以下とし、特定チャンネルの周波数が中間の周波数よりも低い場合には帯域外の周波数を第二の周波数以上としたので、例えば、ＩＦ信号の変調度の変更に伴って発生した不要な信号が、特定チャンネルの周波数と移動した周波数との差が大きくなって不要な信号の減衰が一層大きくなり後段へはほとんど出力されなくなるだけでなく、回路間のインピーダンス整合が大きくくずれないので、増幅器が安定に動作する。また、反射が少ないので問題になるロスも発生しない。
【００３２】
また、局部発振信号の周波数と同調周波数とを設定するためのデータを格納したメモリと、データを直流電圧に変換するＤ／Ａ変換器と、第一の外部電源と、直流電圧が入力される電圧加算手段と、第一のスイッチ手段とを有し、直流電圧を局部発振器のバラクタダイオードに印加すると共に、電圧加算手段から出力される電圧を可変同調バンドパスフィルタのバラクタダイオードに印加し、第一のスイッチ手段によって第一の外部電源の電圧を電圧加算手段に入力可能としたので、可変同調バンドパスフィルタの同調周波数を特定チャンネルの周波数の帯域外に移動できる。また、第一の外部電源の電圧設定によって可変同調バンドパスフィルタの同調周波数を第一の周波数以下または第二の周波数以上とすることができる。
【００３３】
また、局部発振信号の周波数と同調周波数とを設定するためのデータを格納したメモリと、データを直流電圧に変換するＤ／Ａ変換器と、第二の外部電源と、第三の外部電源と、第二のスイッチ手段とを有し、直流電圧を局部発振器のバラクタダイオードに印加し、第二のスイッチ手段によって直流電圧又は第二の外部電源の電圧又は第三の外部電源の電圧を可変同調バンドパスフィルタのバラクタダイオードに印加可能としたので、第二の外部電源の電圧及び第三の外部電源の電圧の設定によって、直流電圧の如何に関わらず可変同調バンドパスフィルタの同調周波数を第一の周波数以下または第二の周波数以上とすることができる。
【図面の簡単な説明】
【図１】本発明のテレビジョン信号送信機の第一の実施の形態の回路図である。
【図２】本発明のテレビジョン信号送信機の動作説明図である。
【図３】本発明のテレビジョン信号送信機の第二の実施の形態の回路図である。
【図４】従来のテレビジョン信号送信機の構成を示す回路図である。
【符号の説明】
１  中間周波増幅器
２  混合器
３  局部発振器
３ａ  第一のバラクタダイオード
４  可変同調バンドパスフィルタ
４−１、４ー２、４−３  バンドパスフィルタ
４ー１ａ、４−２ａ、４−３ａ  第二のバラクタダイオード
５  高周波増幅器
６  メモリ（ＲＯＭ）
７  制御回路（ＭＰＵ）
８  Ｄ／Ａ変換器
９  電圧加算手段
１０  第一の外部電源
１１  第一のスイッチ手段
１２  第二のスイッチ手段
１３  第二の外部電源
１４  第三の外部電源
【図１】
0003713415.tif 000002
【図２】
0003713415.tif 000003
【図３】
0003713415.tif 000004
【図４】
0003713415.tif 000005